(57)【要約】【課題】消費電力を低減し、よりコストを低減する空調システムを実現する。【解決手段】空調システムは、電子機器装置を搭載したラックが設置された被空調室の天井裏空間には、前記被空調室に空気を供給する供給通路が形成され、前記被空調室の天井板には、開口が設けられ、前記被空調室と前記天井裏空間との間には、前記被空調室からの空気を前記天井裏空間に送出する吸込み口が設けられており、前記ラックから排出され、前記吸込み口を介して前記天井裏空間に流入する空気を冷却し、冷気を前記供給通路に排出する冷却デバイスと、前記開口に設けられ、前記供給通路を通過した前記冷気を前記被空調室に供給する送風機と、を備え、前記送風機は、前記ラックの前記冷気を吸入する側の吸入面に前記冷気が吸入されるように設けられており、更に、１対の前記ラックからなるラック組が必要とする風量に基づいて決定されたラック組に対して、設けられる。【選択図】      図１４
2016145671.tif 000002
【特許請求の範囲】
【請求項１】
電子機器装置を搭載したラックが設置された被空調室の空調を行う空調システムであって、
前記被空調室の天井裏空間には、前記被空調室に空気を供給する供給通路が形成され、
前記被空調室の天井板には、開口が設けられ、
前記被空調室と前記天井裏空間との間には、前記被空調室からの空気を前記天井裏空間に送出する吸込み口が設けられており、
前記ラックから排出され、前記吸込み口を介して前記天井裏空間に流入する空気を冷却し、冷気を前記供給通路に排出する冷却デバイスと、
前記開口に設けられ、前記供給通路を通過した前記冷気を前記被空調室に供給する送風機と、を備え、
前記送風機は、前記ラックの前記冷気を吸入する側の吸入面に前記冷気が吸入されるように設けられており、
更に、前記送風機は、前記吸入面が互いに対向するように所定の間隔を有して配置された１対の前記ラックからなるラック組が必要とする風量、および、複数のラック組が必要とする風量の少なくとも何れかに基づいて決定された１または複数のラック組に対して、設けられる、ことを特徴とする空調システム。
【請求項２】
前記風量を算出する算出手段と、
前記送風機の配置を決定する決定手段と、を更に備え、
前記算出手段は、前記ラック組に含まれる一方のラックから発生する第１の熱量と、他方のラックから発生する第２の熱量と、前記ラックが配置された環境の情報とに基づいて、前記風量を算出し、
前記決定手段は、前記算出手段が算出した前記風量に基づいて、前記送風機を配置する前記ラックの位置および数を決定する、ことを特徴とする請求項１に記載の空調システム。
【請求項３】
前記送風機の夫々を制御する制御手段を更に備え、
前記制御手段は、前記ラックから排出される空気の温度および前記ラックに吸入される空気の温度の少なくとも一方の温度に基づき、該ラックに関連する前記送風機の回転数を制御する、ことを特徴とする請求項１または２に記載の空調システム。
【請求項４】
前記制御手段は、前記ラックから排出される空気の温度が第１の所定の範囲の上限値より高いという条件と、前記ラックに吸入される空気の温度が第２の所定の範囲の上限値より高いという条件との少なくとも一方を満たすとき、該ラックに関連する前記送風機の回転数を増加させる、ことを特徴とする請求項３に記載の空調システム。
【請求項５】
前記制御手段は、前記ラックから排出される空気の温度が第１の所定の範囲の下限値より低いという条件と、前記ラックに吸入される空気の温度が第２の所定の範囲の下限値より低いという条件との少なくとも一方を満たすとき、該ラックに関連する前記送風機の回転数を減少させる、ことを特徴とする請求項３または４に記載の空調システム。
【請求項６】
前記冷却デバイスは、ドライコイルである、ことを特徴とする請求項１から５の何れか１項に記載の空調システム。
【請求項７】
請求項１から６の何れか１項に記載の空調システムにおける送風機の配置を決定する設計装置に実行させるプログラムであって、
ラックの吸入面が互いに対向するように所定の間隔を有して配置されたラック組に含まれる一方のラックから発生する第１の熱量と、他方のラックから発生する第２の熱量と、前記ラックが配置された環境の情報とに基づいて、１または複数の前記ラック組が必要とする風量を算出する処理と、
前記算出された風量に基づいて、前記送風機が冷気を送風する対象となる前記ラックの位置および数を決定する処理と、を実行させることを特徴とするプログラム。
【請求項８】
請求項１から６の何れか１項に記載の空調システムにおける送風機の配置を決定する決定方法であって、
ラックの吸入面が互いに対向するように所定の間隔を有して配置されたラック組に含まれる一方のラックから発生する第１の熱量と、他方のラックから発生する第２の熱量と、前記ラックが配置された環境の情報とに基づいて、１または複数の前記ラック組が必要とする風量を算出し、
前記算出された風量に基づいて、前記送風機が冷気を送風する対象となる前記ラックの位置および数を決定する、ことを特徴とする決定方法。
【請求項９】
請求項１から６の何れか１項に記載の空調システムにおける送風機を制御する制御装置に実行させるプログラムであって、
ラックから排出される空気の温度および前記ラックに吸入される空気の温度を取得する処理と、
前記温度に基づき、該ラックに関連する前記送風機の回転数を制御する処理と、を実行させることを特徴とするプログラム。
【請求項１０】
請求項１から６の何れか１項に記載の空調システムにおける送風機の制御方法であって、
ラックから排出される空気の温度および前記ラックに吸入される空気の温度を取得し、
前記温度に基づき、該ラックに関連する前記送風機の回転数を制御する、ことを特徴とする制御方法。
【請求項１１】
請求項７または９に記載のプログラムを記憶する、ことを特徴とするコンピュータ読み取り可能な記録媒体。
【発明の詳細な説明】
【技術分野】
【０００１】
本発明は、空調システム、プログラム、決定方法、制御方法および記録媒体に関する。
【背景技術】
【０００２】
近年、インターネットサービスなどの拡大に伴い、情報処理を行うサーバやネットワーク機器を一か所に集約したデータセンタの役割が大きくなっている。このようなデータセンタでは、電子機器装置を冷却するための空調システムが必要となる。
【０００３】
空調システムの一例として、例えば、特許文献１には、吹き出し部ごとに風量調整装置を設けた空気調和設備が記載されている。また、特許文献２には、複数の部屋を換気する換気システムが記載されている。また、特許文献３には、クリーンルームの空調設備が記載されている。
【先行技術文献】
【特許文献】
【０００４】
【特許文献１】特開２０１２−１７７５２０号公報
【特許文献２】特開２００８−８５２８号公報
【特許文献３】特開２００９−１２７９４０号公報
【発明の概要】
【発明が解決しようとする課題】
【０００５】
データセンタで扱う情報処理量の増加に伴い、データセンタの電力消費量も増大している。そのため、データセンタ全体の消費電力を低減する技術が求められている。したがって、データセンタに含まれる電子機器装置を冷却するための空調機（空調システム）の消費電力を低減する技術が求められている。
【０００６】
データセンタ内に設置されている電子機器装置のケーブル類は、床下に敷設されていることが多い。このような電子機器装置のケーブル類は、電子機器装置の入れ替え等で使用しなくなってしまったケーブルを撤去することによるトラブルを避けるため、そのまま床下に敷設される場合がある。したがって、床下にはケーブル類が多数存在することになる。
【０００７】
特許文献１に記載の技術では、天井から対象空間に向かって空気を吹き出し、該空気を床下に移行させ、この移行させた空気を取り込んで更に天井から対象空間に吹き出すように制御している。この方法では、床下に敷設されたケーブル類が空気の流れを妨げてしまう可能性がある。したがって、特許文献１に記載の技術を用いた空調システムでは、空調効率が低下してしまう。また、このような空調システムがファンの回転数や冷房効率を維持すると、消費電力が高くなってしまう。
【０００８】
また、特許文献２に記載の技術では、１つの換気システムで、複数の部屋を換気している。したがって、ある部屋に対する送風量を所定の量に調整した場合、他の部屋に対する送風量が、この他の部屋に対して必要な送風量より多くなる、または、少なくなる可能性がある。したがって、特許文献２に記載の技術では、複数の部屋の全てに対して、必要な量の空気を送風すると、消費電力が高くなってしまう可能性がある。
【０００９】
特許文献３に記載の技術では、送風機（ファン）の数について、何ら記載されていない。そのため、特許文献３に記載の技術では、送風機の配置の最適化が行われない場合がある。データセンタの空調システムにおいて、送風機の配置の最適化が行われていない場合、消費電力が高くなってしまう可能性がある。なぜならば、送風機の数が増えれば増えるほど、空調効率を上げることができるが、これらの送風機を稼働するためにより多くの電力を消費してしまうからである。一方で、送風機の数が少ないと、空調効率が低下してしまう。
【００１０】
また、送風機の配置の最適化が行われていない場合、空調効率を下げないために、多くの送風機を配置する必要がある。これにより、多くの設置コストがかかってしまう。
【００１１】
そこで、本発明者は、二重構造の天井において、より消費電力を低減する空調システムを提案した（特願２０１４−１４８９５１号）。そして、本発明者は、よりコストを低減する空調システムの構成について考察した。
【００１２】
本発明の目的は、消費電力を低減し、且つ、よりコストを低減する空調システムを実現することにある。
【課題を解決するための手段】
【００１３】
本発明の一態様に係る空調システムは、電子機器装置を搭載したラックが設置された被空調室の空調を行う空調システムであって、前記被空調室の天井裏空間には、前記被空調室に空気を供給する供給通路が形成され、前記被空調室の天井板には、開口が設けられ、前記被空調室と前記天井裏空間との間には、前記被空調室からの空気を前記天井裏空間に送出する吸込み口が設けられており、前記ラックから排出され、前記吸込み口を介して前記天井裏空間に流入する空気を冷却し、冷気を前記供給通路に排出する冷却デバイスと、前記開口に設けられ、前記供給通路を通過した前記冷気を前記被空調室に供給する送風機と、を備え、前記送風機は、前記ラックの前記冷気を吸入する側の吸入面に前記冷気が吸入されるように設けられており、更に、前記送風機は、前記吸入面が互いに対向するように所定の間隔を有して配置された１対の前記ラックからなるラック組が必要とする風量、および、複数のラック組が必要とする風量の少なくとも何れかに基づいて決定された１または複数のラック組に対して、設けられる。
【００１４】
なお、上記空調システムの送風機の設置を決定する決定方法および上記空調システムの送風機を制御する制御方法も、本発明の範疇に含まれる。
【００１５】
また、上記空調システムの送風機の設置を決定する設計装置および上記空調システムの送風機を制御する制御装置を、コンピュータによって実現するコンピュータプログラム、およびそのコンピュータプログラムが格納されている、コンピュータ読み取り可能な記憶媒体も、本発明の範疇に含まれる。
【発明の効果】
【００１６】
本発明によれば、消費電力を低減し、且つ、よりコストを低減する空調システムを実現することができる。
【図面の簡単な説明】
【００１７】
【図１】本発明の第１の実施の形態に係る空調システムの全体概要を示す側面図である。
【図２】図１の空調システムをｘ軸負方向から見た場合の図である。
【図３】図１のＡ−Ａ線矢示図である。
【図４】図１のＢ−Ｂ線矢示図である。
【図５】本発明の第１の実施の形態に係る空調システムにおける設計装置の機能構成の一例を示す機能ブロック図である。
【図６】本発明の第１の実施の形態に係る空調システムにおける設計装置の決定処理の流れの一例を示すフローチャートである。
【図７】本発明の第１の実施の形態に係る空調システムにおける制御装置の機能構成の一例を示す機能ブロック図である。
【図８】本発明の第１の実施の形態に係る空調システムにおける制御装置の制御処理の流れの一例を示すフローチャートである。
【図９】本発明の第１の実施の形態に係る空調システムを用いて空調を行った被空調室における温度分布の一例を示す図である。
【図１０】図９のＣ−Ｃ線矢示図である。
【図１１】図９のＤ−Ｄ線矢示図である。
【図１２】本発明の第１の実施の形態に係る設計装置、制御装置および制御部のハードウェア構成の一例を示す図である。
【図１３】本発明の第２の実施の形態に係る空調システムの概要を説明するための図である。
【図１４】本発明の第３の実施の形態に係る空調システムの概念を説明するための図である。
【発明を実施するための形態】
【００１８】
＜第１の実施の形態＞
本発明の第１の実施の形態について、図面を参照して詳細に説明する。図１は、本実施の形態に係る空調システムの全体概要を示す側面図である。図１に示す通り、本実施の形態に係る空調システム１００は、複数のラック２を設置した被空調室１内の空調を、ファンユニット１０を用いて行うシステムである。
【００１９】
空調システム１００の具体的な構成について、図１〜図４を参照して説明する。図２は、図１の空調システム１００をｘ軸負方向（図１の左方向）から見た場合の図である。なお、図２においては、説明の便宜上、仕切り１ａの記載を省略している。また、図３は、図１および図２のＡ−Ａ線矢示図である。また、図４は、図１および図２のＢ−Ｂ線矢示図である。なお、図１から図４においては、空気の流れを破線の矢印で示している。
【００２０】
被空調室１には、複数のラック２が設置されている。図２に示す通り、本実施の形態における被空調室１には、複数のラック２が連続して列（ラック列と呼ぶ）をなすように設置されている。ラック２は１以上の電子機器装置を搭載している。ラック２は、冷気Ｃ１を吸入する吸入面（前面２ａと呼ぶ）と暖気Ｗ１を排出する面（背面２ｂと呼ぶ）とを有している。ラック２は、１つの列において、前面２ａが同じ方向を向くように設置されている。
【００２１】
そして、被空調室１には、複数のラック列（図１〜４においては２列）が含まれている。ラック列は互いに所定の間隔を有して設置されている。また、一方のラック列に含まれるラック２と他のラック列のラック２とは、前面２ａ同士が対向するように設置されている。
【００２２】
なお、本実施の形態において、ラック２は２列であり、各列のラック２の数は６つであることを例に説明を行うが、本発明はこれに限定されるものではない。
【００２３】
また、ラック２の前面２ａに吸入される冷気と、背面２ｂから排出される暖気とが混在しないように、被空調室１には、ラック２の前面２ａ側の空間と、背面２ｂ側の空間とを仕切る仕切り１ａが設けられている。この仕切り１ａの材質は特に限定されず、設置することにより冷気と暖気とが混在しないものであればよい。
【００２４】
また、被空調室１の周囲には、図２に示す通り、例えば、廊下などの空間（図１では、廊下９）がある。廊下９と、被空調室１とは、互いの空気が行き来しないように、壁８等によって区切られた空間である。なお、上記廊下９等の区間は、図２に示す通り、被空調室１の一方の方向にある構成であってもよいし、全周にある構成であってもよい。
【００２５】
被空調室１と、被空調室１の天井の上の空間（天井裏空間）とは、天井板４によって分離されている。つまり、天井板４の被空調室１側の面が、被空調室１の天井である。天井裏空間には、被空調室１に対し、冷たい空気（冷気Ｃ１）を送り込む（供給する）供給通路であるチャンバ３が形成されている。チャンバ３は、天井板４の上側の面（天井板４の被空調室１側の面とは反対側の面）の全面にわたって連続している。本実施の形態では、チャンバ３を、サプライチャンバとも呼ぶ。
【００２６】
また、図２に示す通り、被空調室１と天井裏空間との間であって、廊下９の上部には、被空調室１の空気（暖気Ｗ１）をチャンバ３に送出する吸込みスリット（吸込み口）５が設けられている。吸込みスリット５は、図２に示す通り、廊下９の上部の空間と、被空調室１とを仕切るように設けられている。吸込みスリット５は、図２および図３に示す通り、空気を吸入する面が、被空調室１内のラック列とは略並行な方向（ｚ軸方向）に対し、略垂直となる方向（ｘ軸方向）に沿って設けられることが好ましい。つまり、吸込みスリット５は、被空調室１の床平面（ｘｚ軸平面）において、空気を吸入する面が、ラック２から排出された暖気Ｗ１によって形成されるホットアイルと略垂直となるように設けられることが好ましい。被空調室１の暖気Ｗ１は、吸込みスリット５を介してチャンバ３に送出される。吸込みスリット５は、被空調室１の暖気Ｗ１を被空調室１内に滞留させることなく好適に吸い込むことができるものであればよく、その形状およびその材質は特に限定されない。
【００２７】
また、廊下９の上部には、図２および図３に示す通り、加湿器４１が設置されている。加湿器４１は、吸込みスリット５を介して廊下上の空間に送り込まれた暖気Ｗ１に対し、除湿または加湿を行うことにより、空気を所定の湿度に調整するものである。これにより、外乱による湿度の変化が起こった場合であっても、空調システム１００は、安定した湿度の空気を被空調室１に送ることができる。加湿器４１の数は、特に限定されるものではなく、空気の湿度を安定させることができる数であればよい。
【００２８】
また、加湿器４１は、気化式加湿器であることが好ましい。また、加湿器４１は、図２に示す通り、廊下９上のように、被空調室１上部ではない位置に設置されることが好ましい。これにより、例えば、加湿器４１からの漏水リスクを被空調室１内から遠ざけることができる。
【００２９】
また、天井板４上には、図２に示す通り、冷却デバイス５１が設置されている。本実施の形態で使用する冷却デバイス５１は、例えば、冷却コイルである。冷却コイルの例としては、該冷却コイルで使用する冷水の温度が１５℃〜２５℃である、ドライコイルが挙げられるが本発明はこれに限定されるものではない。冷却デバイス５１は、入力された暖気Ｗ１を冷却し、冷気Ｃ１をチャンバ３に排出する。冷却デバイス５１は、図示しない熱源機器に接続しており、この熱源機器が冷水を供給することにより、所定の温度の冷気Ｃ１を排出する。冷却デバイス５１の数は、特に限定されるものではなく、所定の温度の冷気Ｃ１を排出することが可能な数であればよい。
【００３０】
また、冷却デバイス５１は、図２では、天井板４に対し、垂直に立てられた状態で設置されているが、本発明はこれに限定されるものではない。冷却デバイス５１は、天井板４に対し、所定の角度をなすように設けられる構成であってもよい。
【００３１】
天井板４には、図１および図４に示す通り、開口４ａが形成されている。開口４ａは、被空調室１とチャンバ３とを通じる。なお、図４には、説明の便宜上、図３に示したラック２が二点鎖線で、吸込みスリット５が一点鎖線で示されている。
【００３２】
開口４ａが形成される天井板４上の位置は、被空調室１に対し、ラック２の前面２ａに冷気Ｃ１を送り込むことができる位置であることが好ましい。例えば、開口４ａが形成される位置は、ラック２の前面２ａ同士が向かい合って設置されることによって形成された通路（コールドアイル）の上部であることが好ましい。
【００３３】
また、冷却デバイス５１は、図２に示す通り、廊下９上のように、被空調室１上部ではない位置に設置されることが好ましい。これにより、例えば、冷却デバイス５１および冷却デバイス５１に接続している冷水を供給するための配管からの漏水リスクを被空調室１内から遠ざけることができる。
【００３４】
開口４ａには、送風機１１を含むファンユニット１０が取り付けられている。ファンユニット１０は、送風機１１と、送風機１１の回転数を制御する制御部１３（不図示）とを含んでいる。制御部１３は、後述する制御装置２０からの指示に従い、該制御部１３に関連付けられた送風機１１の回転数を制御する。
【００３５】
ファンユニット１０の送風機１１は、チャンバ３を通過した冷気Ｃ１を被空調室１に供給するものである。送風機１１は、ラック２の前面２ａに冷気Ｃ１が吸入されるように設けられている。図４では、ファンユニット１０は、前面２ａ同士が対向して設置された２つのラック２に対し、１つ設けられているが、これは、後述する設計装置３０によって、決定されたものである。ファンユニット１０の配置を決定する処理の流れについては、後述する。
【００３６】
（空調システム１００の空気の流れ）
次に、図１から図４を参照して、空気の流れについて説明する。ラック２の背面２ｂから排出された暖気Ｗ１（図１および図３参照）は、吸込みスリット５を通過する（図２および図３参照）。そして、暖気Ｗ１は、冷却デバイス５１によって冷却される。冷却デバイス５１は、冷却した空気（冷気Ｃ１）をチャンバ３に排出する（図２および図４参照）。チャンバ３を通過する冷気Ｃ１は、送風機１１によって、被空調室１内に供給される（図１参照）。そして、送風機１１から供給された冷気Ｃ１は、ラック２の前面２ａからラック２内に吸入される（図１および図３参照）。
【００３７】
（設計装置３０について）
次に、ファンユニット１０の配置を決定する設計装置３０について説明を行う。図５は、本実施の形態に係る設計装置３０の機能構成の一例を示す機能ブロック図である。図５に示す通り、本実施の形態に係る設計装置３０は、算出部３０１と、決定部３０２と、を備える。また、図６は、本実施の形態に係る設計装置３０の決定処理の流れの一例を示すフローチャートである。設計装置３０の機能は、図５および図６を参照して説明する。
【００３８】
算出部３０１は、ファンユニット１０の配置を決定するに当たり、必要な情報の入力を受け付ける。この必要な情報は、例えば、設計者によって入力装置等を用いて入力される。算出部３０１は、例えば、図示しない記憶装置に格納された情報であって、上記決定に必要な情報を該記憶装置から取得するものであってもよい。
【００３９】
算出部３０１は、例えば、ラック２が発生する熱量の値およびラック２が配置された環境の情報等を受け付ける（図６のステップＳ１）。また、ラック２が配置された環境の情報とは、例えば、被空調室１内の空気の質量、被空調室１内の空気の比熱、ラック２に供給される冷気（給気）の温度、ラック２から排出される暖気（排気）の温度等が挙げられる。なお、これらの値は、実際の環境にて測定した値であってもよいし、推定される値であってもよい。本実施の形態では、ラック２に搭載される各電子機器装置が発生する熱量の最大値の総和を、ラック２が発生する熱量の値として、用いるとする。以降、ラック２が発生する熱量を、ラック２の発生熱量と呼ぶ。
【００４０】
算出部３０１は、受け取った（取得した）情報であって、ファンユニット１０の配置の決定に必要な情報を受け取る。そして、以下の式（１）を用いて、ラック２の組（ラック組と呼ぶ）に対して、１秒あたりに必要な風量である換気風量Ｖ（ｍ３／ｍｉｎ）を求める（図６のステップＳ２）。なお、ラック組とは、前面２ａが互いに対向するように所定の間隔を有して配置された１対のラック２のことである。
【００４１】
【数１】
2016145671.tif 000003
【００４２】
ここで、Ｑ１は、あるラック組の一方のラック２（ラック２Ａと呼ぶ）の発生熱量（ｋｃａｌ／ｈ）（第１の熱量）である。Ｑ２は、上記ラック２Ａと、前面２ａが対向しているラック２（ラック２Ｂと呼ぶ）の発生熱量（ｋｃａｌ／ｈ）（第２の熱量）である。γは、被空調室１内の空気の質量（ｋｇ／ｍ３）であり、本実施の形態では、１．２ｋｇ／ｍ３であるとする。Ｃρは、被空調室１内の空気の比熱（ｋＪ／ｋｇ・℃）であり、本実施の形態では、１．００６ｋＪ／ｋｇ・℃であるとする。また、ｔ１は、ラック２Ａおよびラック２Ｂに供給される冷気（給気）の温度（℃）である。ｔ２は、ラック２Ａまたはラック２Ｂから排出される暖気（排気）の温度（℃）、あるいは、ラック２Ａまたはラック２Ｂから排出される暖気の温度の平均値（℃）である。
【００４３】
これにより、算出部３０１は、対向するラック２（ラック組）に対する換気風量Ｖを求める。算出部３０１は、換気風量Ｖを、被空調室１内に配置するラック２の全てに対して求める。そして、算出部３０１は、求めた換気風量Ｖを、決定部３０２に出力する。
【００４４】
決定部３０２は、算出部３０１から、算出部３０１が算出した換気風量Ｖを受信する。そして、決定部３０２は、受信した換気風量Ｖを用いて、被空調室１内に配置するファンユニット１０の配置を決定する（図６のステップＳ３）。つまり、決定部３０２は、ファンユニット１０の送風機１１が冷気Ｃ１を送風する対象となるラック２の位置と、ラック２の数とを決定する。
【００４５】
例えば、被空調室１内のある領域に配置されたラック２の換気風量Ｖが、ファンユニット１０からの風量より小さい場合、決定部３０２は、複数組のラック２に対して、１つのファンユニット１０を設置するように決定してもよい。つまり、決定部３０２は、換気風量Ｖに応じて、１つのファンユニット１０が給気する対象となるラック２の位置と数とを決定する。
【００４６】
なお、算出部３０１は、更に、複数個のラック２に対して、換気風量Ｖを計算してもよい。例えば、算出部３０１が算出した換気風量Ｖに基づいて、決定部３０２が、１つのファンユニット１０が送風するラック２の組を３組と決定した場合について説明する。このとき、算出部３０１は、この隣り合う３組のラック２のうち、一方のラック列に含まれる３つのラック２の発生熱量をＱ１とし、他方のラック列に含まれる３つのラック２の発生熱量をＱ２として、換気風量Ｖを求めてもよい。そして、決定部３０２は、算出部３０１が更に算出した換気風量Ｖに基づいて、配置するファンユニット１０を決定してもよい。
【００４７】
このように、設計装置３０は、ファンユニット１０が冷気を送風する対象となるラック２の位置および数を決定することができる。
【００４８】
なお、本実施の形態では、決定部３０２が、１組のラック２に対して１つのファンユニット１０を設置するように決定したとする。そして、ファンユニット１０は、設計装置３０の決定処理の結果に基づいて、図４に示すように、設置される。
【００４９】
以降、あるラック２の前面２ａに冷気Ｃ１を送り込むファンユニット１０を、「ラック２に対応するファンユニット１０」と呼ぶ。
【００５０】
（制御装置２０について）
次に、ファンユニット１０の制御部１３を制御する制御装置２０について説明を行う。制御装置２０は、例えば、廊下９等の被空調室１の外側の領域に設けられるものである。これにより、被空調室１内の領域を有効に利用することができる。したがって、ラック２の設置効率を向上させることができる。
【００５１】
図７は、本実施の形態に係る制御装置２０の機能構成を示す機能ブロック図である。図７に示す通り、制御装置２０は、１以上の制御部（１３−１〜１３−Ｎ（Ｎは自然数））と、１以上の前面側温度計（２１−１〜２１−Ｍ（Ｍは自然数））と、１以上の背面側温度計（２２−１〜２２−Ｌ（Ｌは自然数））とに通信可能に接続されている。また、図８は、本実施の形態に係る制御装置２０の制御処理の流れの一例を示すフローチャートである。制御装置２０の機能は、図７および図８を参照して説明する。
【００５２】
なお、本実施の形態では、複数の制御部１３−１〜１３−Ｎの夫々を区別しない場合、または、総称する場合には、これらを制御部１３と呼ぶ。同様に、前面側温度計２１−１〜２１−Ｍの夫々を区別しない場合、または、総称する場合には、これらを前面側温度計２１と呼び、背面側温度計２２−１〜２２−Ｍの夫々を区別しない場合、または、総称する場合には、これらを背面側温度計２２と呼ぶ。
【００５３】
前面側温度計２１は、ラック２の前面２ａ側に設置され、前面２ａから吸入する冷気Ｃ１の温度を計測する。前面側温度計２１は、ラック２毎に設置されるものであってもよいし、所定の数のラック２毎に、設けられるものであってもよい。また、前面側温度計２１は、ファンユニット１０毎に設けられるものであってもよい。また、前面側温度計２１の設置位置は特に限定されず、冷気Ｃ１の温度が計測可能な位置であればよい。前面側温度計２１の設置位置は、例えば、コールドアイル上の天井（天井板４の被空調室１側の面上）であってもよいし、ラック２の前面２ａであってもよい。本実施の形態では、前面側温度計２１は、ファンユニット１０毎に１つ設けられているとして説明を行う。本実施の形態では、上述したとおり、ファンユニット１０は、前面２ａ同士が対向して設置された２つのラック２に対して１つ設けられている。そのため、本実施の形態における前面側温度計２１は、前面２ａ同士が対向して設置された２つのラック２に対し、１つ設けられているとする。
【００５４】
背面側温度計２２は、ラック２の背面２ｂ側に設置され、背面２ｂから排出される暖気Ｗ１の温度を計測する。背面側温度計２２は、ラック２毎に設置されるものであってもよいし、所定の数のラック２毎に、設けられるものであってもよい。また、背面側温度計２２の設置位置は特に限定されず、暖気Ｗ１の温度が計測可能な位置であればよい。背面側温度計２２の設置位置は、例えば、ホットアイル上の天井（天井板４の被空調室１側の面上）であってもよいし、ラック２の背面２ｂであってもよい。本実施の形態では、背面側温度計２２は、ファンユニット１０が送風する対象となるラック２の組に含まれる列ごとに設けられていることを例に説明を行う。つまり、ファンユニット１０が送風する対象とするラック２の組が３組である場合、背面側温度計２２は、一方のラック列に含まれる２つのラック２と、他方のラック列に含まれる３つのラック２とに対し、１つずつ設けられているとする。
【００５５】
制御装置２０は、各前面側温度計２１および各背面側温度計２２から計測結果（温度）を受信する。
【００５６】
図７に示す通り、制御装置２０は、記憶部２０１および指示送信部（制御手段）２０２を備えている。
【００５７】
記憶部２０１には、前面側温度計２１および背面側温度計２２の設置位置を示す情報（位置情報）と、前面側温度計２１および背面側温度計２２が設置されたラック２の前面２ａ側の空間（コールドアイル）の上部に設置されたファンユニット１０を示す情報（ファンユニット情報）とが関連付けられて格納されている。なお、記憶部２０１は、制御装置２０内に内蔵されるものであってもよいし、制御装置２０の外部に接続される記憶装置で実現されるものであってもよい。
【００５８】
また、所定数のラック２に対し、１つの前面側温度計２１および／または１つの背面側温度計２２が設置される構成の場合に、記憶部２０１に記憶される情報について説明する。この場合、記憶部２０１には、所定数のラック２の夫々に対応するファンユニット１０を示すファンユニット情報の集合と、前面側温度計２１および／または背面側温度計２２の設置位置を示す位置情報とが関連付けて格納される。
【００５９】
なお、記憶部２０１に上記情報が格納されるタイミングは、前面側温度計２１または背面側温度計２２が設置されたタイミングであってもよいし、空調システム１００が運用を開始するタイミングであってもよいし、その他のタイミングであってもよい。
【００６０】
指示送信部２０２は、各前面側温度計２１および／または各背面側温度計２２から計測結果を受信する（図８のステップＳ１１）。指示送信部２０２は、計測結果を送信した前面側温度計２１または背面側温度計２２が設置されている位置を特定する（図８のステップＳ１２）。そして、指示送信部２０２は、特定した位置の位置情報に関連付けられたファンユニット情報を、記憶部２０１から取得する（図８のステップＳ１３）。
【００６１】
その後、指示送信部２０２は、取得したファンユニット情報が示すファンユニット１０の送風機１１の回転数を、受信した計測結果に基づいて制御する指示を生成する（図８のステップＳ１４）。このとき、指示送信部２０２は、該ファンユニット１０の送風機１１の回転数を算出し、該送風機１１が該回転数になるように制御する指示を生成してもよい。ファンユニット１０の送風機１１の風量は、上述した式（１）を用いて算出される換気風量Ｖの最小値から最大値までの間で調整される。換気風量Ｖの最小値とは、送風機１１が送風可能な最小の風量である。また、換気風量Ｖの最大値とは、ファンユニット１０が送風する対象となる１または複数組のラック２のうち、一方のラック列に含まれるラック２の発生熱量の最大値と、他方のラック列に含まれるラック２の発生熱量の最大値とを用いて算出されるものである。
【００６２】
指示送信部２０２は、生成した指示を、該ファンユニット１０の制御部１３に対し、送信する（図８のステップＳ１５）。
【００６３】
例えば、指示送信部２０２は、背面側温度計２２の温度が第１の所定の範囲（例えば、２５℃〜３５℃）の上限値より高いとき、背面側温度計２２が設置されたラック２に対応するファンユニット１０の送風機１１の回転数を上げる指示を、該ファンユニット１０の制御部１３に送信する。
【００６４】
これにより、制御装置２０は、所定の値より高い温度の暖気Ｗ１を排出しているラック２に送風する冷気Ｃ１の量を増やすことができる。
【００６５】
また、指示送信部２０２は、例えば、前面側温度計２１の温度が第２の所定の範囲（例えば、１５℃〜２５℃）の上限値より高いとき該前面側温度計２１が設置されたラック２に対応するファンユニット１０の送風機１１の回転数を上げる指示を、該ファンユニット１０の制御部１３に送信する。
【００６６】
これにより、制御装置２０は、冷気Ｃ１の温度が所定の値より高い位置における冷気Ｃ１の量を増やすことができる。
【００６７】
また、指示送信部２０２は、例えば、背面側温度計２２の温度が第１の所定の範囲（例えば、２５℃〜３５℃）の下限値より低いとき、該背面側温度計２２が設置されたラック２に対応するファンユニット１０の送風機１１の回転数を下げる指示を、該ファンユニット１０の制御部１３に送信する。
【００６８】
これにより、制御装置２０は、暖気Ｗ１の排出量が小さい、つまり、電子機器装置の稼働率が小さいラック２に対し、冷気Ｃ１の送風量を減らすことができる。
【００６９】
また、指示送信部２０２は、例えば、前面側温度計２１の温度が第２の所定の範囲（例えば、１５℃〜２５℃）の下限値より低いとき該前面側温度計２１が設置されたラック２に対応するファンユニット１０の送風機１１の回転数を下げる指示を、該ファンユニット１０の制御部１３に送信する。
【００７０】
これにより、冷気Ｃ１の供給量を適量に制御することができる。
【００７１】
その後、ファンユニット１０の制御部１３は、制御装置２０から送信された指示に基づき、送風機１１の回転数を制御する。具体的には、制御部１３は、送風機１１の周波数を制御することにより、送風機１１の回転数を制御する。なお、送風機１１の回転数の制御方法は周波数を制御することに限定されるものではなく、どのような方法を用いてもよい。
【００７２】
なお、本実施の形態では、各送風機１１に対応付けられた制御部１３が、制御装置２０に基づき送風機１１の回転数を制御することについて説明を行ったが、制御装置２０が各送風機１１を制御してもよい。
【００７３】
送風機１１の回転数が増えると、冷気Ｃ１の供給量も増える。よって、吸込みスリット５を介してチャンバ３に戻る空気の量も増える。反対に、送風機１１の回転数が少なくなると、冷気Ｃ１の供給量が減り、チャンバ３に戻る空気の量も減る。このように、送風機１１の回転数を制御することにより、空調システム１００は、被空調室１内で循環する空気の量を調整することができる。
【００７４】
また、各送風機１１は、複数のグループの何れかに属するように設定されていてもよい。そして、制御装置２０は、このグループ単位で、該グループに含まれる送風機１１を制御する指示を送信してもよい。例えば、隣り合う複数のラック２が１つのグループに属しており、複数のラック２のうち、あるラック２の前面側温度計２１の温度が所定の範囲の上限値より高い場合について説明する。このとき、制御装置２０は、このグループに属する送風機１１の回転数を上げるように制御することにより、このあるラック２だけでなく、隣り合うラック２の温度も併せて制御してもよい。これにより、制御装置２０は、あるラック２と隣り合うラック２の温度も、所定の範囲の上限値より高い、または、所定の範囲の上限値に近い値になる可能性がある隣り合うラック２の温度も制御することができる。
【００７５】
（被空調室１内の温度分布の例）
次に、本実施の形態に係る空調システム１００を用いて被空調室１内の空気の量が調整された場合の、被空調室１内の温度分布の一例について説明する。図９は、本実施の形態に係る空調システム１００を用いて空調を行った被空調室１における温度分布の一例を示す図である。図９では、本実施の形態に係る被空調室１を上面から見た場合の温度分布を示している。図９における被空調室１には、１つのラック列に、１２個のラックが配置されている。また、図９における被空調室１には、１８列のラック列が含まれる。なお、説明の便宜上、図９では、ファンユニット１０の記載を省いている。
【００７６】
また、図９において、符号ＣＡ１は、コールドアイルを示し、符号ＨＡ１はホットアイルを示している。空調システム１００では、図９に示すように、ラック列間の通路において、交互にコールドアイルとホットアイルとが形成されるように、ラック２が配置されている。
【００７７】
また、吸込みスリット５は、被空調室１の床平面（ｘｚ軸平面）において、ホットアイルと略垂直となるように設けられている。冷却デバイス５１は、吸込みスリット５を介した空気を効率的に冷却するように、吸込みスリット５と略平行となるように配置されている。
【００７８】
また、図９において、より濃い色は、温度が低いことを示し、白に近づくにつれて、温度が高いことを示している。
【００７９】
図９に示す通り、各コールドアイルＣＡ１は、温度が略２５℃以下になっていることがわかる。
【００８０】
図１０は、図９のＣ−Ｃ線矢示図である。図１０は、ホットアイルＨＡ１の温度分布を示すものであり、ラック２の背面２ｂ側から見た場合における被空調室１内の温度分布を示すものである。なお、説明の便宜上、図１０では、ファンユニット１０の記載を省いている。
【００８１】
ラック２内に吸入された空気は、ラック２内の電子機器装置によって、暖められ、およそ１０℃高くなった暖気となって、排出されるとみなす。したがって、空調システム１００は、ラック２内に吸入される冷気の温度を制御することにより、ラック２から排出される暖気の温度も制御することができる。
【００８２】
図１０に示す通り、被空調室１内のホットアイルＨＡ１上の空気は、略３５℃前後となっている。このように、本実施の形態に係る空調システム１００は、暖気の温度を略３５℃に制御することができる。
【００８３】
図１１は、図９のＤ−Ｄ線矢示図である。図１１は、コールドアイルＣＡ１の温度分布を示すものであり、ラック２の前面２ａ側から見た場合における被空調室１内の温度分布を示すものである。なお、説明の便宜上、図１１では、ファンユニット１０の記載を省いている。
【００８４】
図１１に示す通り、冷却デバイス５１によって冷却され、チャンバ３を通った冷気が、被空調室１内のコールドアイル上に略２５℃で流入していることがわかる。このように、本実施の形態に係る空調システム１００は、冷気の温度を約２５℃に制御することができる。
【００８５】
（ハードウェア構成について）
図５に示した設計装置３０、並びに、図７に示した制御装置２０および制御部１３のハードウェア構成について説明する。図５に示した設計装置３０、並びに、図７に示した制御装置２０および制御部１３は、図１２に例示するハードウェア資源で実現してもよい。即ち、図１２に示す構成は、ＲＡＭ（Ｒａｎｄｏｍ  Ａｃｃｅｓｓ  Ｍｅｍｏｒｙ）１０１、ＲＯＭ（Ｒｅａｄ  Ｏｎｌｙ  Ｍｅｍｏｒｙ）１０２、通信インタフェース１０３、記憶媒体１０４、ＣＰＵ（Ｃｅｎｔｒａｌ  Ｐｒｏｃｅｓｓｉｎｇ  Ｕｎｉｔ）１０５、入力装置１０６および出力装置１０７を備える。
【００８６】
入力装置１０６は、例えば、マウス、キーボード、内臓のキーボタン、又は、タッチパネルなどで実現され、入力操作に用いられる。入力装置１０６は、例えば、ファンユニット１０の配置を決定するに当たり、必要な情報の入力を行う装置である。
【００８７】
出力装置１０７は、例えば、ディスプレイで実現され出力を確認するために用いられる。出力装置１０７は、例えば、図９から図１１を用いて説明した、温度分布を確認することができるディスプレイである。
【００８８】
ＣＰＵ１０５は、ＲＯＭ１０２または記憶媒体１０４に記憶された各種ソフトウェアプログラム（コンピュータプログラム）を、ＲＡＭ１０１に読み出して実行することにより、設計装置３０、制御装置２０および制御部１３の全体的な動作を司る。すなわち、本実施の形態において、ＣＰＵ１０５は、ＲＯＭ１０２または記憶媒体１０４を適宜参照しながら、設計装置３０が備える各機能（各部）、制御装置２０が備える各機能（各部）および制御部１３の機能を実行するソフトウェアプログラムを実行する。
【００８９】
また、本実施の形態を例に説明した本発明は、設計装置３０、制御装置２０および制御部１３に対して、上記説明した機能を実現可能なコンピュータプログラムを供給した後、そのコンピュータプログラムを、ＣＰＵ１０５がＲＡＭ１０１に読み出して実行することによって達成される。
【００９０】
また、係る供給されたコンピュータプログラムは、読み書き可能なメモリ（一時記憶媒体）またはハードディスク装置等のコンピュータ読み取り可能な記憶デバイスに格納すればよい。そして、このような場合において、本発明は、係るコンピュータプログラムを表すコード或いは係るコンピュータプログラムを格納した記憶媒体によって構成されると捉えることができる。
【００９１】
上述した本実施の形態では、図５に示した設計装置３０における各ブロック、図７に示した制御装置２０における各ブロックおよび制御部１３に示す機能を、図１２に示すＣＰＵ１０５が実行する一例として、ソフトウェアプログラムによって実現する場合について説明した。しかしながら、図５および図７に示した各ブロックに示す機能は、一部または全部を、ハードウェアの回路として実現してもよい。
【００９２】
なお、本実施の形態における、制御装置２０と設計装置３０とは異なる装置で実現してもよいし、一つの情報処理装置で実現してもよい。また、本実施の形態において、吸込みスリット５および冷却デバイス５１は、ホットアイルの一端側（ホットアイルと略平行となる方向のうち、一方の方向）に、設けられていることを例に説明を行ったが、他端側にも設けられるものであってもよい。吸込みスリット５および冷却デバイス５１がホットアイルの両側に設けられることにより、より効率的に、被空調室１内の空調を行うことができる。
【００９３】
（効果）
本実施の形態に係る空調システム１００によれば、消費電力を低減し、且つ、よりコストを低減することができる。なぜならば、ラック２から排出された暖気Ｗ１が吸込みスリット５を通り、冷却デバイス５１で冷却されるからである。そして、冷却デバイス５１で冷却された冷気Ｃ１が送風機１１から被空調室１内に送風され、送風機１１によって送風された冷気Ｃ１は、ラック２の前面２ａからラック２内に吸入されるからである。
【００９４】
これにより、空調システム１００は、機器の配線が配置される床下の空間を用いた空調方式と異なり、該配線の影響を受けることなく、空調を行うことができる。これにより、空調システム１００は、機器の配線が配置される床下の空間を用いた空調方式に比べ、消費電力を低減することができる。
【００９５】
また、上記床下の空間を構築する必要が無く、且つ、天井裏空間がチャンバ３のみであるため、特願２０１４−１４８９５１号に記載の天井裏空間が二重構造である場合と比べ、設置コストを下げることができる。また、構築に必要となる部屋の高さが、床下の空間を構築する場合や天井裏空間が二重構造である場合に比べて低くても、本実施の形態に係る空調システム１００を構築することができる。これにより、既存の建物に対しても、本実施の形態に係る空調システム１００を構築することができる。このように、本実施の形態に係る空調システム１００は、既存の建物を利用することができるため、構築に係るコストを低減することが可能である。また、本実施の形態に係る空調システム１００は、既存の建物にも好適に適用することができる。
【００９６】
また、本実施の形態に係る空調システム１００は、対向するラック２の組が必要とする風量、および、複数のラック組が必要とする風量の少なくとも何れかに基づいて決定された１または複数のラック組に対して、１つの送風機１１を設ける。これにより、本実施の形態に係る空調システム１００は、ラック２に搭載された電子機器装置の数や稼働率に応じて、ラック２に送風する冷気Ｃ１の量を調整することができる。したがって、本実施の形態に係る空調システム１００は、より好適に空調に掛かる消費電力を低減することができる。また、このように、本実施の形態に係る空調システム１００は、最適化が行われた数の送風機１１を配置することにより、全てのラック２に対して送風機１１を設置する場合に比べ、コストを低減することができる。
【００９７】
＜第２の実施の形態＞
次に、本発明の第２の実施の形態について、図１３を参照して説明する。本実施の形態では、第１の実施の形態において説明した制御装置２０および設計装置３０が一つの装置で実現されることについて説明する。
【００９８】
図１３は、本実施の形態に係る空調システム２００の概念を説明するための図である。なお、説明の便宜上、前述した第１の実施の形態で説明した図面に含まれる部材と同じ機能を有する部材については、同じ符号を付し、その説明を省略する。
【００９９】
本実施の形態に係る空調システム２００は、電子機器装置（不図示）を搭載したラック２が設置された被空調室１の空調を行う空調システムである。図１３に示す通り、空調システム２００は、被空調室１の天井裏空間に、被空調室１に空気を供給する供給通路（チャンバ３）が形成されている。
【０１００】
また、被空調室１とチャンバ３が形成された天井裏空間との間には、被空調室１からの空気を天井裏空間に送出する吸込み口（吸込みスリット５）が設けられている。
【０１０１】
被空調室１の天井板４には、開口４ａが設けられている。
【０１０２】
また、空調システム２００は、ラック２の背面２ｂから排出され、吸込みスリット５を介して天井裏空間に流入する空気（暖気Ｗ１）を冷却し、冷気Ｃ１をチャンバ３に排出する冷却デバイス５１を備えている。更に、空調システム２００は、開口４ａに設けられ、チャンバ３を通過した冷気Ｃ１を前記被空調室に供給する送風機１１を備えている。
【０１０３】
送風機１１は、ラック２における、冷気Ｃ１を吸入する側の吸入面（前面２ａ）に冷気Ｃ１が吸入されるように設けられている。
【０１０４】
また、空調システム２００は、算出部２１０と、決定部２２０と、制御部２３０とを備えている。算出部２１０は、第１の実施の形態に係る算出部３０１に相当する。算出部２１０は、前面２ａが互いに対向するように所定の間隔を有して配置された１対のラック２からなるラック組が必要とする風量、および／または、複数のラック組が必要とする風量を算出する。具体的には、算出部２１０は、ラック組に含まれる一方のラック２から発生する第１の熱量と、他方のラック２から発生する第２の熱量と、ラック２が配置された環境の情報とに基づいて、風量を算出する。
【０１０５】
決定部２２０は、第１の実施の形態に係る決定部３０２に相当する。決定部２２０は、算出部２１０が算出した風量に基づいて、送風機１１を配置するラック２の位置および数を決定する。そして、送風機１１は、この決定された１または複数のラック組に対して、設けられる。
【０１０６】
制御部２３０は、第１の実施の形態に係る指示送信部２０２および制御部１３の機能を有する。制御部２３０は、温度計（図１３においては、Ｔ１〜Ｔ３）から送信された、ラック２から排出される空気の温度およびラック２に吸入される空気の温度の少なくとも一方の温度に基づき、ラック２に関連する送風機１１の回転数を制御する。
【０１０７】
これにより、ラック２から排出された暖気Ｗ１がレタンチャンバ６を通り、冷却デバイス５１で冷却される。そして、冷気Ｃ１がダクト１２を介して送風機１１から被空調室１内に送風される。制御部２３０によって回転数が制御された送風機１１は、冷気Ｃ１を送風し、該冷気Ｃ１は、ラック２の前面２ａからラック２内に吸入される。
【０１０８】
なお、図１３に示す算出部２１０、決定部２２０、および制御部２３０は、空調システム１００内の１つの情報処理装置で実現されるものであってもよいし、夫々異なる装置で実現されるものであってもよい。また、図１３に示す算出部２１０、決定部２２０、および制御部２３０は、上述した第１の実施の形態に係る制御装置２０および設計装置３０と同様に、図１２に示すハードウェア資源で実現されるものであってもよい。
【０１０９】
これにより、空調システム２００は、上述した第１の実施の形態と同様に、機器の配線が配置される床下の空間を用いた空調方式と異なり、該配線の影響を受けることなく、空調を行うことができる。したがって、本実施の形態に係る空調システム２００は、より低い電力で効率的にラック２を冷却することができる。
【０１１０】
＜第３の実施の形態＞
次に、本発明の第３の実施の形態について、図１４を参照して説明する。本実施の形態では、本発明の課題を解決する最小の構成について説明を行う。
【０１１１】
図１４は、本実施の形態に係る空調システム３００の概念を説明するための図である。なお、説明の便宜上、前述した第１または第２の実施の形態で説明した図面に含まれる部材と同じ機能を有する部材については、同じ符号を付し、その説明を省略する。
【０１１２】
本実施の形態に係る空調システム３００は、電子機器装置（不図示）を搭載したラック２が設置された被空調室１の空調を行う空調システムである。図１４に示す通り、空調システム３００は、被空調室１の天井裏空間に、被空調室１に空気を供給する供給通路（チャンバ３）が形成されている。
【０１１３】
また、被空調室１とチャンバ３が形成された天井裏空間との間には、被空調室１からの空気を天井裏空間に送出する吸込み口（吸込みスリット５）が設けられている。
【０１１４】
被空調室１の天井板４には、開口４ａが設けられている。
【０１１５】
また、空調システム３００は、ラック２から排出され、吸込みスリット５を介して天井裏空間に流入する空気（暖気Ｗ１）を冷却し、冷気Ｃ１をチャンバ３に排出する冷却デバイス５１を備えている。更に、空調システム３００は、開口４ａに設けられ、チャンバ３を通過した冷気Ｃ１を前記被空調室に供給する送風機１１を備えている。
【０１１６】
送風機１１は、ラック２における、冷気Ｃ１を吸入する側の吸入面（前面２ａ）に冷気Ｃ１が吸入されるように設けられている。送風機１１は、前面２ａが互いに対向するように所定の間隔を有して配置された１対のラック２からなるラック組が必要とする風量、および、複数のラック組が必要とする風量の少なくとも何れかに基づいて決定された１または複数のラック組に対して、設けられる。
【０１１７】
これにより、空調システム３００は、上述した第１の実施の形態と同様に、機器の配線が配置される床下の空間を用いた空調方式と異なり、該配線の影響を受けることなく、空調を行うことができる。また、床下の空間や二重構造の天井裏空間を有しないため、コストを低減させることができる。
【０１１８】
これにより、本実施の形態に係る空調システム３００は、より低い電力で効率的にラック２を冷却することができ、且つ、よりコストを低減することができる。
【０１１９】
なお、上述した各実施の形態は、本発明の好適な実施の形態であり、上記各実施の形態にのみ本発明の範囲を限定するものではなく、本発明の要旨を逸脱しない範囲において当業者が上記各実施の形態の修正や代用を行い、種々の変更を施した形態を構築することが可能である。
【符号の説明】
【０１２０】
１    被空調室
２    ラック
３    チャンバ
４    天井板
５    吸込みスリット
８    壁
９    廊下
１０    ファンユニット
１１    送風機
１３    制御部
２０    制御装置
２１    前面側温度計
２２    背面側温度計
２０１    記憶部
２０２    指示送信部
３０    設計装置
３０１    算出部
３０２    決定部
４１    加湿器
５１    冷却デバイス
１００    空調システム
１０１    ＲＡＭ
１０２    ＲＯＭ
１０３    通信インタフェース
１０４    記憶媒体
１０５    ＣＰＵ
１０６    入力装置
１０７    出力装置
２００    空調システム
２１０    算出部
２２０    決定部
２３０    制御部
３００    空調システム
１ａ    仕切り
２ａ    前面
２ｂ    背面
４ａ    開口
Ｃ１    冷気
Ｗ１    暖気
ＣＡ１    コールドアイル
ＨＡ１    ホットアイル
【図１】
2016145671.tif 000004
【図２】
2016145671.tif 000005
【図３】
2016145671.tif 000006
【図４】
2016145671.tif 000007
【図５】
2016145671.tif 000008
【図６】
2016145671.tif 000009
【図７】
2016145671.tif 000010
【図８】
2016145671.tif 000011
【図９】
2016145671.tif 000012
【図１０】
2016145671.tif 000013
【図１１】
2016145671.tif 000014
【図１２】
2016145671.tif 000015
【図１３】
2016145671.tif 000016
【図１４】
2016145671.tif 000017